(57)【要約】【課題】熱交換器の効率を向上させることができる空気調和機用室外機を提供する。【解決手段】一側面に開口部１ａを有し下部に空洞ａを有する箱体１と、前記開口部１ａに配置された熱交換器３と、前記熱交換器３の略中央の高さの位置に配され圧縮機４などを搭載する基板５と、前記箱体１の上部に配され吹き出し方向が上方で回転軸が鉛直の軸流又は斜流式の第１ファン８と、前記第１ファン８を回転駆動する上吹き用モータ７と、前記第１ファン８を覆うファンガード６と、前記箱体１の下部に設けられ吹出方向を下方にした軸流又は斜流式の第２ファン１１と、前記第２ファン１１を回転駆動する下吹き用モータ１４を備えたもので、送風機性能と熱交換効率を低下させることなく熱交換器３下部から吸込まれる空気の風量を増加させることができる。【選択図】図１
2006145110.tif 000002
【特許請求の範囲】
【請求項１】
一側面に開口部を有し下部に空洞を有する箱体と、前記開口部に配置された熱交換器と、前記熱交換器の略中央の高さの位置に配され圧縮機などを搭載する基板と、前記箱体の上部に配され吹き出し方向が上方で回転軸が鉛直の軸流又は斜流式の第１ファンと、前記第１ファンを回転駆動する上吹き用モータと、前記第１ファンを覆うファンガードと、前記箱体の下部に設けられ吹出方向を下方にした軸流又は斜流式の第２ファンと、前記第２ファンを回転駆動する下吹き用モータを備えた空気調和機用室外機。
【請求項２】
第２ファンを軸が鉛直な多翼遠心ファンとした請求項１に記載の空気調和機用室外機。
【請求項３】
第１ファンと第２ファンの両方を、上吹き用モータと下吹き用モータのいずれか一方で回転駆動し、他方を廃止した請求項１又は２に記載の空気調和機用室外機。
【請求項４】
第２ファンの吹出方向を任意の方向に変えられるようにした請求項２又は３に記載の空気調和機用室外機。
【請求項５】
箱体の隅に上下方向に設けられ、かつ上端が開口し下端が空洞に連通するダクトと、前記空洞を囲む遮蔽板とを備え、第２ファンが前記空洞内に吹出す請求項１〜４のいずれか１項に記載の空気調和機用室外機。
【発明の詳細な説明】
【技術分野】
【０００１】
本発明は、空気調和機用室外機に関するものである。
【背景技術】
【０００２】
従来の空気調和機用室外機は、箱体状の上面にファンガードを備え、風の吹出方向を上方に向け軸が鉛直な軸流又は斜流式の第１ファンまたは下面にファンガードを備え吹出方向を上方に向け軸が鉛直な軸流又は斜流式の第２ファンが使用されている（例えば、特許文献１参照）。
【０００３】
以下に、図７を用いて、上記特許文献１に開示された空気調和機用室外機について説明する。
【０００４】
図７において、空気調和機用室外機は、側面が開口した４隅の柱（図示せず）で支持され箱体１の該開口部１ａにこれを閉塞する如く熱交換器３を立設配置する一方、上記箱体１の上面にファンガード６を備え、吹出方向を上方に向け軸が鉛直で上吹き用モータ７により駆動可能な軸流又は斜流式の第１ファン８で構成されている。また、箱体１の底部を形成する基板５には、圧縮機５が設けられている。
【０００５】
しかし、上方に設けた第１ファン８だけでは、軸流又は斜流式ファンの特性から熱交換器３の上部から吸込まれる風量が多くなり、下部から吸込まれる風量が極端に少なくなる。
【０００６】
そこで、同図に示されるように、箱体１の内部で熱交換器３の高さの任意位置に、さらにファンガード９を備え、吹出方向を上方に向け上吹き用モータ１０で駆動可能な軸流又は斜流式の第２ファン１１を配し、熱交換器３の下部から吸込まれる風量を増加させるようにしている。
【特許文献１】特開平１０−２４６４７３号公報
【発明の開示】
【発明が解決しようとする課題】
【０００７】
しかしながら、図７に示されるような従来の空気調和機用室外機の構成では、熱交換器３の下部からの吸込まれる風量を増加させることができるが、第１ファン８の吹出し流が熱交換器３からの吸込み流を阻害し送風機性能を低下させ、また第２ファン１１からの吹出し流が熱交換器３を通過し吹出された後、即座に第１ファン８による吸込みで再度熱交換器３を通過するため著しく熱交換器３の熱交換効率を低下させている。
【０００８】
本発明は、前記従来の課題を解決するもので、熱交換器全体を効率的に且つ送風機性能低下を効果的に防止する空気調和機用室外機を提供することを目的とする。
【課題を解決するための手段】
【０００９】
前記従来の課題を解決するために、本発明の空気調和機用室外機は、一側面に開口部を有し下部に空洞を有する箱体と、前記開口部に配置された熱交換器と、前記熱交換器の略中央の高さの位置に配され圧縮機などを搭載する基板と、前記箱体の上部に配され吹き出し方向が上方で回転軸が鉛直の軸流又は斜流式の第１ファンと、前記第１ファンを回転駆動する上吹き用モータと、前記第１ファンを覆うファンガードと、前記箱体の下部に設けられ吹出方向を下方にした軸流又は斜流式の第２ファンと、前記第２ファンを回転駆動する下吹き用モータを備えたもので、送風機性能と熱交換効率を低下させることなく熱交換器下部からの吸込まれる風量を増加させることが可能となる。
【発明の効果】
【００１０】
本発明の空気調和機用室外機は、送風機性能と熱交換効率を低下させることなく熱交換器下部からの吸込まれる風量を増加させることができる。
【発明を実施するための最良の形態】
【００１１】
第１の発明は、一側面に開口部を有し下部に空洞を有する箱体と、前記開口部に配置された熱交換器と、前記熱交換器の略中央の高さの位置に配され圧縮機などを搭載する基板と、前記箱体の上部に配され吹き出し方向が上方で回転軸が鉛直の軸流又は斜流式の第１ファンと、前記第１ファンを回転駆動する上吹き用モータと、前記第１ファンを覆うファンガードと、前記箱体の下部に設けられ吹出方向を下方にした軸流又は斜流式の第２ファンと、前記第２ファンを回転駆動する下吹き用モータを備えたもので、送風機性能と熱後交換効率を低下させることなく熱交換器下部からの吸込まれる風量を増加させることが可能となる。
【００１２】
第２の発明は、特に、第１の発明の第２ファンを軸が鉛直な多翼遠心ファンとしたもので、空気調和機用室外機を壁付近に配置する場合、多翼遠心ファンの吹出し方向が任意方向という特徴を生かし放熱妨害とならない方向へ製品を向けて設置することで放熱妨害を低減できる。
【００１３】
第３の発明は、特に、第１又は第２の発明の第１ファンと第２ファンの両方を、上吹き用モータと下吹き用モータのいずれか一方で回転駆動し、他方を廃止したもので、両ファンの駆動が１個のモータだけでできるので、資源の削減に貢献すると共に、安価に形成できる。
【００１４】
第４の発明は、特に、第２又は第３の発明の第２ファンの吹出方向を任意の方向に変えられるようにしたもので、空気調和機用室外機を壁付近に配置する場合、多翼遠心ファンの吹出し方向が任意方向という特徴を生かし放熱妨害とならない方向へファン吹出し方向を製品設置後に変更でき容易に放熱妨害を低減できる。
【００１５】
第５の発明は、特に、第１〜４のいずれか一つの発明の箱体の隅に上下方向に設けられ、かつ上端が開口し下端が空洞に連通するダクトと、前記空洞を囲む遮蔽板とを備え、第２ファンが前記空洞内に吹出すもので、四方向を壁で囲まれても吸込むだけの隙間があれば放熱妨害とならずに、熱交換器下部から吸い込んだ空気も上方に吹出すことができる。
【００１６】
以下、本発明の実施の形態について、図面を参照しながら説明する。なお、この実施の形態により、本発明が限定されるものではない。
【００１７】
（実施の形態１）
図１は、本発明の第１の実施の形態における空気調和機用室外機の概略断面図である。
【００１８】
本実施の形態における空気調和機用室外機は、側面が開口した４隅の柱２で支持され下部に空洞ａを有する箱体１を備え、箱体１の該開口部１ａに、これを閉塞する如く熱交換器３を立設配置し、熱交換器３の高さの任意位置に圧縮機４などを搭載する基板５を配置する一方、上記箱体１の上面にファンガード６を備えている。
【００１９】
箱体１の上部には、吹出方向を上方に向け軸が鉛直で上吹き用モータ７により回転駆動される軸流又は斜流式の第１ファン８が設けられ、箱体１の下面１ｂにファンガード９を備え吹出方向を下方に向け下吹き用モータ１４で回転駆動される軸流又は斜流式の第２ファン１１が配置されている。
【００２０】
上記構成により、第１ファン８により熱交換器３の上半分から空気が効果的に吸い込まれ上方に吹き出され、また、第２ファン１１により、熱交換器３の下半分から空気が効果的に吸い込まれ、空洞ａへ吸込み流を妨げることなく吹出されるので、送風機性能と熱交換効率を低下させることなく熱交換器３下部から吸込まれる風量を増加させることが可能となる。
【００２１】
（実施の形態２）
図２は、本発明の第２の実施の形態における空気調和機用室外機の概略断面図である。なお上記第１の実施の形態と同一部分については、同一符号を付してその説明を省略する。
【００２２】
本実施の形態は、第２ファン１１を、軸を鉛直とした多翼遠心ファンで構成したもので、その他の構成は、上記第１の実施の形態と同一である。
【００２３】
上記構成により、空気調和機用室外機を、建物等の壁付近に配置する場合、多翼遠心ファンからなる第２ファン１１の吹出し方向が任意方向という特徴を生かし、放熱が阻害されない方向へ空気調和機用室外機を向けて設置することで、放熱が阻害されるのを確実に防止する事ができる。
【００２４】
（実施の形態３）
図３は、本発明の第３の実施の形態における空気調和機用室外機の概略断面図である。なお上記実施の形態と同一部分については、同一符号を付してその説明を省略する。
【００２５】
本実施の形態は、第１ファン８と第２ファンの両方を上吹き用モータ７で駆動するようにしたもので、その他の構成は、上記第１の実施の形態と同一である。
【００２６】
上記構成により、下吹き用モータ１４が廃止することができ、省資源化が図れると共に、空気調和機用室外機を安価に構成する事ができる。勿論、第１ファン８と第２ファンの両方を下吹き用モータ１４で駆動し、上吹き用モータ７を廃止しても良い。
【００２７】
（実施の形態４）
図４は、本発明の第４の実施の形態における空気調和機用室外機の外観斜視図である。なお上記実施の形態と同一部分については、同一符号を付してその説明を省略する。
【００２８】
本実施の形態は、第２ファン１１を任意方向へ吹出方向変更可能とした多翼遠心ファンで形成したもので、その他の構成は、上記第１の実施の形態と同一である。
【００２９】
上記構成により、空気調和機用室外機を建物などの壁付近に配置する場合、多翼遠心ファンの吹出し方向が任意方向という特徴を生かし放熱妨害とならない方向へ、第２ファン１１の吹出し方向を、製品設置後に自由に変更でき容易に放熱妨害を低減することができる。
【００３０】
（実施の形態５）
図５は、本発明の第５の実施の形態における空気調和機用室外機の平面図、図６は、同空気調和機用室外機の概略断面図である。なお上記実施の形態と同一部分については、同一符号を付してその説明を省略する。
【００３１】
本実施の形態は、箱体１内の隅に、かつ上下方向に、上端が開口し下端が空洞ａに連通するダクト１２を配し、さらに空洞ａを囲む遮蔽板１３を設けたもので、その他の構成は、上記実施の形態と同一である。
【００３２】
上記構成により、第２ファン１１の吹出し流を、空洞ａを介してダクト１２によりガイドして箱体１の上部に吹出すことができ、これにより放熱妨害を低減することができる。
【産業上の利用可能性】
【００３３】
以上のように、本発明にかかる空気調和機用室外機は、送風機性能と熱交換効率を低下させることなく熱交換器下部から吸込まれる風量を増加させることができるので、各種空気調和装置、冷凍装置、冷却装置等に広く適用できるものである。
【図面の簡単な説明】
【００３４】
【図１】本発明の実施の形態１における空気調和機用室外機の概略断面図
【図２】本発明の実施の形態２における空気調和機用室外機の概略断面図
【図３】本発明の実施の形態３における空気調和機用室外機の概略断面図
【図４】本発明の実施の形態４における空気調和機用室外機の外観斜視図
【図５】本発明の実施の形態５における空気調和機用室外機の平面図
【図６】同空気調和機用室外機の概略断面図
【図７】従来の空気調和機用室外機の概略断面図
【符号の説明】
【００３５】
１  箱体
３  熱交換器
４  圧縮機
５  基板
６、９  ファンガード
７  上吹き用モータ
８  第１ファン
１１  第２ファン
１２  ダクト
１３  遮蔽板
１４  下吹き用モータ
ａ  空洞
【図１】
2006145110.tif 000003
【図２】
2006145110.tif 000004
【図３】
2006145110.tif 000005
【図４】
2006145110.tif 000006
【図５】
2006145110.tif 000007
【図６】
2006145110.tif 000008
【図７】
2006145110.tif 000009